(57)【要約】【課題】冷却対象となるデバイスに対する冷却の精度を向上することを課題とする。【解決手段】無線端末は、増幅器等のデバイスを介して出力される送信電力をモニタして、該送信電力に応じた電圧のモニタ値が過去に出力された電圧のモニタ値から変動した場合に、デバイスの送信電力を制御する。また、無線端末は、デバイスの送信電力を制御することをトリガとして、冷却対象となるデバイスを冷却する冷却器に与える電圧を制御する。また、無線端末は、冷却器による冷却によりデバイスを冷却する。【選択図】図１
2011193152.tif 000002
【特許請求の範囲】
【請求項１】
冷却対象となるデバイスを冷却する冷却器と、
前記デバイスを介して出力される送信電力をモニタして、該送信電力に応じた電圧のモニタ値を出力する電力モニタ部と、
前記電力モニタ部によって出力された電圧のモニタ値が過去に出力された電圧のモニタ値から変動した場合に、前記デバイスの送信電力を制御する送信電力制御部と、
前記送信電力制御部によって送信電力が制御された場合に、前記冷却器に与える電圧を制御する冷却器電圧制御部と
を有することを特徴とする無線端末。
【請求項２】
送信電力と、該送信電力に応じた電圧のモニタ値とを対応付けて保持する第１テーブルと、
前記送信電力に応じた電圧のモニタ値の差分と、前記冷却器に与える電圧の値とを対応付けて保持する第２テーブルと
をさらに有し、
前記送信電力制御部は、前記第１テーブルを参照して前記電圧のモニタ値の変動分から制御に要する送信電力を求めて、前記デバイスの送信電力を制御するとともに、前記電圧のモニタ値の変動分である電圧の差分値を出力し、
前記冷却器電圧制御部は、前記送信電力制御部によって出力された前記電圧の差分値を受け付けた場合に、前記第２テーブルを参照して、該電圧の差分値から前記冷却器に与える電圧を取得し、前記冷却器に与える電圧を制御することを特徴とする請求項１に記載の無線端末。
【請求項３】
前記電圧のモニタ値と温度とを送信電力ごとに対応付けて保持する第３テーブルと、
前記冷却対象となるデバイスの冷却分の温度と、前記冷却器に与える電圧の値とを対応付けて保持する第４テーブルと
をさらに有し、
前記送信電力制御部は、前記第３テーブルを参照して、前記電力モニタ部によって出力された電圧のモニタ値から温度を推定し、推定された温度を出力し、
前記冷却器電圧制御部は、前記送信電力制御部によって出力された推定温度を受け付けた場合に、前記第４テーブルを参照して、該温度から前記冷却器に与える電圧を取得し、前記冷却器に与える電圧を制御することを特徴とする請求項１に記載の無線端末。
【請求項４】
デバイスを介して出力される送信電力をモニタして、該送信電力に応じた電圧のモニタ値を出力する電力モニタステップと、
前記電力モニタステップによって出力された電圧のモニタ値が過去に出力された電圧のモニタ値から変動した場合に、前記デバイスの送信電力を制御する送信電力制御ステップと、
前記送信電力制御ステップによって送信電力が制御された場合に、前記デバイスを冷却する冷却器に与える電圧を制御する冷却器電圧制御ステップと
を含んだことを特徴とするデバイスの冷却方法。
【発明の詳細な説明】
【技術分野】
【０００１】
本発明は、無線端末及びデバイスの冷却方法に関する。
【背景技術】
【０００２】
従来、無線通信が可能な無線端末は、自動販売機の在庫管理や荷物を運搬する配送車両の配送管理等に用いられることがある。在庫管理や配送管理等に用いられる無線端末が配置される場所は、高温又は低温であったり、時間によって高温及び低温の双方であったりするような過酷な環境下であることも多い。また、過酷な環境は、携帯電話機等の無線端末においても同様に発生する。例えば、周囲環境の温度が高温である場合には、無線端末が有するＰＡ（Power  Amplifier）やＧＣＡ（Gain  Control  Amplifiers）等のデバイスのゲインが低下する。
【０００３】
具体的に説明すると、無線端末では、基地局からの距離や電波状況等に応じて、自身の無線端末から基地局に対する送信電力を制御するＴＰＣ（Transmission  Power  Control）制御が行なわれる。また、周囲環境の温度が高温になることによりＰＡ等の出力が低下すると、無線端末は、送信電力が低下したことを検知し、送信電力の低下分を補正する制御であるＡＰＣ（Automatic  Power  Control）制御を行なう。換言すると、無線端末は、温度が上昇する場合に、ゲインの低下分を補正しようとして電力を上げる制御を行なうため、ＰＡやＧＣＡ等のデバイスにおける発熱量を増加させてしまう。
【０００４】
このため、近年の無線端末に係る技術においては、過酷な環境下であっても正常に無線端末を利用可能とするものが考えられている。かかる技術の一例として、無線端末は、サーミスタ（thermistor）等の温度センサによって検知された該無線端末の周囲の温度に基づいて、ペルチェクーラー等の冷却素子を利用してＰＡやＧＣＡ等のデバイスを冷却する。
【先行技術文献】
【特許文献】
【０００５】
【特許文献１】特開平０９−１９１５５８号公報
【特許文献２】特開２００７−０８９０５２号公報
【特許文献３】特開平０６−２１６７８８号公報
【発明の概要】
【発明が解決しようとする課題】
【０００６】
しかしながら、従来技術では、冷却対象となるデバイスに対する冷却が適正に行なわれない可能性がある。具体的には、従来技術では、温度センサの配置場所によって検知される温度が異なるために、冷却対象となるデバイスに対する冷却に誤差が生じる。例えば、周囲環境の温度は、冷却対象となるデバイスの発熱に影響を与えることが想定できるものの、どれほどの影響があるかは無線端末の形状や素材等で異なる。このため、温度センサを用いる場合には、冷却対象となるデバイスに対する冷却が適正に行なわれない可能性がある。
【０００７】
そこで、本願に開示する技術は、上記に鑑みてなされたものであって、冷却対象となるデバイスに対する冷却の精度を向上することが可能である無線端末及びデバイスの冷却方法を提供することを目的とする。
【課題を解決するための手段】
【０００８】
上述した課題を解決し、目的を達成するため、本願に開示する無線端末は、冷却対象となるデバイスを冷却する冷却器を有する。また、無線端末は、デバイスを介して出力される送信電力をモニタして、該送信電力に応じた電圧のモニタ値を出力する電力モニタ部を有する。また、無線端末は、電力モニタ部によって出力された電圧のモニタ値が過去に出力された電圧のモニタ値から変動した場合に、デバイスの送信電力を制御する送信電力制御部を有する。また、無線端末は、送信電力制御部によって送信電力が制御された場合に、冷却器に与える電圧を制御する冷却器電圧制御部を有する。
【発明の効果】
【０００９】
本願に開示する無線端末及びデバイスの冷却方法の一つの様態によれば、冷却対象となるデバイスに対する冷却の精度を向上することができるという効果を奏する。
【図面の簡単な説明】
【００１０】
【図１】図１は、実施例１に係る無線端末の構成例を示す図である。
【図２】図２は、実施例２に係る無線端末の構成例を示す図である。
【図３】図３は、実施例２に係るＡＰＣテーブルに保持される情報の例を示す図である。
【図４】図４は、実施例２に係るペルチェクーラー電圧制御テーブルに保持される情報の例を示す図である。
【図５】図５は、実施例２に係るＡＰＣ制御処理の流れを示すフローチャートである。
【図６】図６は、実施例３に係るＡＰＣテーブルに保持される情報の例を示す図である。
【図７】図７は、実施例３に係る温度検知テーブルに保持される情報の例を示す図である。
【図８】図８は、実施例３に係るペルチェクーラー電圧制御テーブルに保持される情報の例を示す図である。
【発明を実施するための形態】
【００１１】
以下に添付図面を参照して、本願に開示する無線端末及びデバイスの冷却方法の実施例を説明する。なお、以下の実施例により本発明が限定されるものではない。また、各実施例は、内容を矛盾させない範囲で適宜組み合わせることが可能である。
【実施例１】
【００１２】
図１を用いて、実施例１に係る無線端末の構成例を説明する。図１は、実施例１に係る無線端末の構成例を示す図である。例えば、図１に示すように、無線端末１は、デバイス２と、電力モニタ部３と、送信電力制御部４と、冷却器電圧制御部５と、冷却器６とを有する。また、無線端末１は、例えば、自動販売機の在庫管理や荷物を運搬する配送車両の配送管理等に用いられる無線端末や、携帯電話機等の無線端末である。なお、以下では、携帯電話機等の無線端末を例に挙げて説明する。
【００１３】
デバイス２は、送信電力を出力する。電力モニタ部３は、デバイス２を介して出力される送信電力をモニタして、該送信電力に応じた電圧のモニタ値を出力する。送信電力制御部４は、電力モニタ部３によって出力された電圧のモニタ値が過去に出力された電圧のモニタ値から変動した場合に、デバイス２の送信電力を制御する。冷却器電圧制御部５は、送信電力制御部４によって送信電力が制御された場合に、冷却器６に与える電圧を制御する。冷却器６は、冷却器電圧制御部５により制御された電圧に基づき、冷却対象となるデバイス２を冷却する。
【００１４】
このように、無線端末１は、デバイスから出力される送信電力を制御する場合に、該デバイスを冷却する冷却器に所望の電圧を与えるので、冷却対象となるデバイスに対する冷却の精度を向上することができる。換言すると、無線端末１は、送信電力の制御をトリガとして冷却器に電圧を与えるので、配置場所により検知される温度が異なる温度センサに依存して冷却器に電圧を与える従来技術と比較して、冷却対象となるデバイスに対する冷却の精度を向上することができる。
【実施例２】
【００１５】
［実施例２に係る無線端末の構成］
図２を用いて、実施例２に係る無線端末の構成例を説明する。図２は、実施例２に係る無線端末の構成例を示す図である。例えば、図２に示すように、無線端末１００は、ペルチェクーラー１０１と、無線機１１０と、ＡＦＥ（Analog  Front  End）部１２０と、モデム処理部１３０と、モデム処理部１４０とを有する。なお、無線端末１００は、実施例１に係る無線端末１の一例である。
【００１６】
例えば、ペルチェクーラー１０１は、冷却対象となるデバイスを冷却する冷却器である。また、ペルチェクーラー１０１は、ＡＦＥ部１２０を介して、モデム処理部１３０によって制御された電圧に基づいてデバイスを冷却する。また、ペルチェクーラー１０１によって冷却されるデバイスの一例としては、後述するＧＣＡ１１６やＰＡ１１８等が挙げられる。なお、ペルチェクーラー１０１は、実施例１に係る冷却器６の一例である。
【００１７】
無線機１１０は、アンテナ１１１と、ＤＵＰ（Duplexer）１１２と、コンデンサ１１３と、電力モニタ回路１１４とを有する。また、無線機１１０は、Ｑ−ＭＯＤ（Quadrature‐MODulator）１１５と、ＧＣＡ（Gain  Control  Amplifiers）１１６と、ＢＰＦ（Band  Pass  Filter）１１７と、ＰＡ（Power  Amplifier）１１８とを有する。
【００１８】
例えば、アンテナ１１１は、基地局等のアクセスポイントに対して、ＰＡ１１８から入力された送信電力で送信信号を送出する。例えば、ＤＵＰ１１２は、ＰＡ１１８から入力された送信信号の伝送損失を抑制しつつアンテナ１１１に出力する。例えば、コンデンサ１１３は、電力モニタ回路１１４等に電力を与える。例えば、電力モニタ回路１１４は、ＰＡ１１８から出力された送信電力をモニタして、該送信電力に応じた電圧をＡＦＥ部１２０に出力する。なお、電力モニタ回路１１４は、実施例１に係る電力モニタ部３の一例である。
【００１９】
また、例えば、Ｑ−ＭＯＤ１１５は、ＡＦＥ部１２０から出力された信号に対して直交変調を実行し、ＧＣＡ１１６に出力する。例えば、ＧＣＡ１１６は、ＡＦＥ部１２０を介してモデム処理部１３０等から出力された電力を受け付けて、Ｑ−ＭＯＤ１１５から入力された信号を増幅し、ＢＰＦ１１７に出力する。
【００２０】
また、例えば、ＢＰＦ１１７は、Ｑ−ＭＯＤ１１５から入力された信号を受け付けて、所定の周波数範囲の周波数の信号のみを通過させるとともに、それ以外の周波数の信号を減衰させ、ＰＡ１１８に出力する。例えば、ＰＡ１１８は、モデム処理部１３０等から出力された電力に基づき、ＢＰＦ１１７によって入力された信号を増幅してＤＵＰ１１２に出力する。なお、ＧＣＡ１１６やＰＡ１１８は、実施例１に係るデバイス２の一例であり、ペルチェクーラー１０１による冷却処理の冷却対象デバイスである。
【００２１】
ＡＦＥ部１２０は、８ｂｉｔＡ／Ｄ（Analog／Digital）１２１と、１０ｂｉｔＤ／Ａ（Digital／Analog）１２２と、１０ｂｉｔＤ／Ａ１２３と、１０ｂｉｔＤ／Ａ１２４とを有する。
【００２２】
例えば、８ｂｉｔＡ／Ｄ１２１は、電力モニタ回路１１４から入力された信号のＡＤ変換を実行してモデム処理部１３０に出力する。例えば、１０ｂｉｔＤ／Ａ１２２は、入力された信号のＤＡ変換を実行してＱ−ＭＯＤ１１５に出力する。例えば、１０ｂｉｔＤ／Ａ１２３は、モデム処理部１３０から入力された電圧に係る信号のＤＡ変換を実行してペルチェクーラー１０１に出力する。例えば、１０ｂｉｔＤ／Ａ１２４は、モデム処理部１３０から入力された電圧に係る信号のＤＡ変換を実行してＧＣＡ１１６に出力する。
【００２３】
モデム処理部１３０は、ＡＰＣ（Automatic  Power  Control）テーブル１３１と、ＡＰＣ回路１３２と、ペルチェクーラー電圧変換制御部１３３と、加算器１３４と、ＴＰＣ（Transmission  Power  Control）テーブル１３５とを有する。また、モデム処理部１３０は、主にＡＰＣ制御に係る処理を実行する処理部である。
【００２４】
例えば、ＡＰＣテーブル１３１は、常温時に予め取得された送信電力と、該送信電力に応じた電圧のモニタ値とを対応付けて保持するとともに、８ｂｉｔＡ／Ｄ１２１から入力された電圧のモニタ値をＡＰＣ回路１３２に出力する。ここで、図３を用いて、実施例２に係るＡＰＣテーブル１３１に保持される情報について説明する。図３は、実施例２に係るＡＰＣテーブル１３１に保持される情報の例を示す図である。
【００２５】
例えば、図３に示すように、ＡＰＣテーブル１３１は、常温時（例えば、「２５℃」）にＰＡ１１８から出力された送信電力と、該送信電力に応じた電圧のモニタ値（「電力モニタ値（コード）」）とを対応付けて保持する。ＡＰＣテーブル１３１に保持される情報の一例としては、送信電力「２４ｄＢｍ」と電力モニタ値「８２」とが挙げられる。なお、電力モニタ値「８２」とは、電力モニタ回路１１４においてモニタされた電圧「１．７５Ｖ」が８ｂｉｔＡ／Ｄ１２１によってＡＤ変換された値を示す。
【００２６】
図２の説明に戻り、例えば、ＡＰＣ回路１３２は、ＡＰＣテーブル１３１から電圧のモニタ値が入力された場合に、ＡＰＣテーブル１３１を参照して過去に入力された電圧のモニタ値との変動分から、ＡＰＣ制御に要する送信電力を求める。具体的に例を挙げると、ＡＰＣ回路１３２は、過去に入力された電圧のモニタ値が「８２」であることとして、周囲の温度が４０℃に上昇して送信電力が「２２ｄＢｍ」に下がると、電圧のモニタ値「１１７」を受け付ける。そして、ＡＰＣ回路１３２は、ＡＰＣテーブル１３１を参照して、電圧のモニタ値のコード差分値「３５」から送信電力が「２ｄＢｍ」下がったことを検出する。
【００２７】
また、ＡＰＣ回路１３２は、ＧＣＡ１１６へ与える電圧を上げるために、コード値の検出結果を加算器１３４に出力するとともに、電力のモニタ値の変動分である電圧の差分値「３５」をペルチェクーラー電圧変換制御部１３３に出力する。なお、ＡＰＣ回路１３２は、実施例１に係る送信電力制御部４の一例である。
【００２８】
例えば、ペルチェクーラー電圧変換制御部１３３は、送信電力に応じた電圧のモニタ値の差分と、ペルチェクーラー１０１に与える電圧の値とを対応付けて保持するペルチェクーラー電圧制御テーブルを有する。ここで、図４を用いて、実施例２に係るペルチェクーラー電圧制御テーブルに保持される情報について説明する。図４は、実施例２に係るペルチェクーラー電圧制御テーブルに保持される情報の例を示す図である。
【００２９】
例えば、図４に示すように、ペルチェクーラー電圧制御テーブルは、電圧のモニタ値の電力モニタ値差分（コード）と、ＧＣＡ１１６やＰＡ１１８等の冷却に要するペルチェクーラー１０１に与えるペルチェクーラー電圧（コード）とを対応付けて保持する。ペルチェクーラー電圧制御テーブルに保持される情報の一例としては、電力モニタ値差分「５０」とペルチェクーラー電圧「６４」とが挙げられる。
【００３０】
図２の説明に戻り、ペルチェクーラー電圧変換制御部１３３は、ＡＰＣ回路１３２によって出力された電圧の差分値「３５」を受け付けた場合に、ペルチェクーラー電圧制御テーブルを参照して、ペルチェクーラー１０１に与える電圧「３０」を取得する。そして、ペルチェクーラー電圧変換制御部１３３は、取得された電圧「３０」に基づいてペルチェクーラー１０１に与える電圧を制御する。なお、ペルチェクーラー電圧変換制御部１３３は、実施例１に係る冷却器電圧制御部５の一例である。
【００３１】
例えば、加算器１３４は、モデム処理部１４０から入力される送信電力に、ＡＰＣ回路１３２から入力される送信電力を加算し、ＴＰＣテーブル１３５に出力する。なお、加算器１３４は、送信電力を下げる場合には減算を行なう。例えば、ＴＰＣテーブル１３５は、送信電力と、該送信電力を出力させるためにデバイスに与える電圧とを対応付けて保持するＴＰＣテーブルを保持する。そして、ＴＰＣテーブル１３５は、加算器１３４から送信電力が入力された場合に、ＴＰＣテーブルを参照して対応する電圧を取得するとともに、１０ｂｉｔＤ／Ａ１２４に出力する。
【００３２】
モデム処理部１４０は、ＴＰＣ回路１４１を有する。また、モデム処理部１４０は、主にＴＰＣ制御に係る処理を実行する処理部である。例えば、ＴＰＣ回路１４１は、無線機１１０から出力する所定の送信電力を出力する。
【００３３】
［実施例２に係るＡＰＣ制御処理］
次に、図５を用いて、実施例２に係るＡＰＣ制御処理を説明する。図５は、実施例２に係るＡＰＣ制御処理の流れを示すフローチャートである。なお、ＡＰＣ制御処理とは、モデム処理部１３０による処理を指す。
【００３４】
例えば、無線端末１００は、電力モニタ回路１１４から送信電力に応じた電圧のモニタ値が入力された場合に（ステップＳ１０１肯定）、過去に入力されたモニタ値を読み出す（ステップＳ１０２）。なお、無線端末１００は、電力モニタ回路１１４からモニタ値が入力されない場合に（ステップＳ１０１否定）、該モニタ値の入力待ちの状態となる。そして、無線端末１００は、入力されたモニタ値が過去に入力されたモニタ値よりも大きいか否かを判定する（ステップＳ１０３）。
【００３５】
このとき、無線端末１００は、入力されたモニタ値が過去に入力されたモニタ値よりも大きい場合に（ステップＳ１０３肯定）、ＴＰＣ回路１４１から出力された送信電力を下げる補正を行なう（ステップＳ１０４）。そして、無線端末１００は、ＡＰＣテーブル１３１を参照してモニタ値の差分値からペルチェクーラー１０１に与える電圧を取得し、ペルチェクーラー１０１を動作させるために与える電圧を制御する（ステップＳ１０６）。すなわち、無線端末１００は、ＰＡ１１８等のデバイスの発熱量が減少することで、過去よりも大きいモニタ値が入力されることになるので、適正な電力値まで送信電力を下げる制御を行なうとともに、ペルチェクーラー１０１に与える電圧を下げる制御を行なう。
【００３６】
一方、無線端末１００は、入力されたモニタ値が過去に入力されたモニタ値よりも小さい場合に（ステップＳ１０３否定）、ＴＰＣ回路１４１から出力された送信電力を上げる補正を行なう（ステップＳ１０５）。そして、無線端末１００は、ＡＰＣテーブル１３１を参照してモニタ値の差分値からペルチェクーラー１０１に与える電圧を取得し、ペルチェクーラー１０１を動作させるために与える電圧を制御する（ステップＳ１０６）。すなわち、無線端末１００は、ＰＡ１１８等のデバイスの発熱量が増加することで、過去よりも小さいモニタ値が入力されることになるので、適正な電力値まで送信電力を上げる制御を行なうとともに、ペルチェクーラー１０１に与える電圧を上げる制御を行なう。
【００３７】
［実施例２による効果］
上述したように、無線端末１００は、デバイスから出力される送信電力を制御する場合に、過去の送信電力のモニタ値との差分に応じて、冷却器に与える電圧を制御するので、冷却対象となるデバイスに対する冷却の精度を向上することができる。換言すると、無線端末１００は、送信電力低下の一因であるデバイスの発熱に対して行なわれる送信電力の制御をトリガとしているので、所望の温度を検知できない可能性のある従来技術と比較して、より高精度にデバイスを冷却することができる。また、無線端末１００は、デバイスから出力される送信電力の制御をトリガとして冷却器に与える電圧の制御を行なうので、温度センサを利用する従来技術と比較して、部品点数を削減できるとともに、該無線端末１００の薄型化及び小型化を図ることができる。また、無線端末１００は、冷却対象となるデバイスに対する冷却の精度を向上することができるので、無線端末１００から出力される送信信号の歪みを抑制しつつ、通信状況の劣化も抑制することができる。
【実施例３】
【００３８】
ところで、上記実施例２では、送信電力のモニタ値の差分からペルチェクーラーに与える電圧を求める場合を説明したが、送信電力のモニタ値から温度を求めるとともに、該温度に応じてペルチェクーラーに与える電圧を求めることもできる。そこで、実施例３では、送信電力のモニタ値から温度を求めるとともに、該温度に応じてペルチェクーラーに与える電圧を求める場合を説明する。以下では、実施例３で利用されるテーブルそれぞれについて説明した後に、実施例３に係るＡＰＣ制御処理について説明することとする。
【００３９】
［実施例３に係るＡＰＣテーブル］
図６を用いて、実施例３に係るＡＰＣテーブルに保持される情報について説明する。図６は、実施例３に係るＡＰＣテーブルに保持される情報の例を示す図である。
【００４０】
ＡＰＣテーブル１３１は、送信電力と、該送信電力に応じた電圧のモニタ値とを温度ごとに対応付けて保持する。例えば、図６に示すように、ＡＰＣテーブル１３１は、常温時（例えば、「２５℃」）にＰＡ１１８から出力された送信電力と、該送信電力に応じた電圧のモニタ値とを対応付けて保持する。また、ＡＰＣテーブル１３１は、６０℃でＰＡ１１８から出力された送信電力と、該送信電力に応じた電圧のモニタ値とを対応付けて保持する。なお、図６では、２５℃及び６０℃におけるＡＰＣ制御時の送信電力とモニタ値とを保持する場合を示したが、２５℃及び６０℃だけではなく他の温度における送信電力とモニタ値とについても保持しても良い。
【００４１】
［実施例３に係る温度検知テーブル］
次に、図７を用いて、実施例３に係る温度検知テーブルに保持される情報について説明する。図７は、実施例３に係る温度検知テーブルに保持される情報の例を示す図である。なお、図７では、送信電力が２４ｄＢｍである場合の温度検知テーブルを示している。
【００４２】
温度検知テーブルは、電圧のモニタ値と温度とを送信電力ごとに対応付けて保持する。例えば、温度検知テーブルは、図６に示したＡＰＣテーブル１３１から予め生成されるものであって、送信電力それぞれにおける温度の推定のために、該送信電力それぞれにおける２５℃及び６０℃の２点のモニタ値間を直線近似したものである。なお、図７では、送信電力が２４ｄＢｍである場合を示しているが、該送信電力は２４ｄＢｍだけでなく他の送信電力における２点のモニタ値間の直線近似も有するものとする。また、直線近似されるモニタ値間の温度は、上記の２５℃及び６０℃だけでなく何℃であっても良い。
【００４３】
［実施例３に係るペルチェクーラー電圧制御テーブル］
次に、図８を用いて、実施例３に係るペルチェクーラー電圧制御テーブルに保持される情報について説明する。図８は、実施例３に係るペルチェクーラー電圧制御テーブルに保持される情報の例を示す図である。
【００４４】
ペルチェクーラー電圧制御テーブルは、冷却対象となるデバイスの冷却分の温度と、冷却器に与える電圧の値とを対応付けて保持する。例えば、図８に示すように、ペルチェクーラー電圧制御テーブルは、温度と、ＧＣＡ１１６やＰＡ１１８等の冷却に要するペルチェクーラー１０１に与えるペルチェクーラー電圧とを対応付けて保持する。また、ペルチェクーラー電圧制御テーブルに保持される温度は下げたい温度との温度差を示しており、例えば、６０℃から２５℃まで下げたい場合には、３５℃が利用されることとなる。
【００４５】
［実施例３に係るＡＰＣ制御処理］
次に、実施例３に係るＡＰＣ制御処理について説明する。例えば、無線端末１００は、電力モニタ回路１１４から送信電力に応じた電圧のモニタ値が入力された場合に、温度検知テーブルを参照して温度を推定する。なお、温度検知テーブルを利用して温度を推定する際の送信電力は、図３に示したＡＰＣテーブル１３１を参照して取得される送信電力を利用する。ここでは、温度検知テーブルから取得される温度が６０℃であることとし、また、６０℃から２５℃まで温度を下げるために、その差分である３５℃を推定温度とする。
【００４６】
そして、無線端末１００は、温度を６０℃から２５℃まで下げるために、ペルチェクーラー電圧制御テーブルを参照して推定温度３５℃の冷却に要する電圧「３０」を取得する。続いて、無線端末１００は、取得された電圧「３０」に基づいて、ペルチェクーラー１０１を動作させるために与える電圧を制御する。
【００４７】
［実施例３による効果］
上述したように、無線端末１００は、送信電力のモニタ値からデバイスの冷却に要する温度を推定し、推定された温度に応じて冷却器に与える電圧を決定し、決定された電圧で冷却器を制御するので、より高速な処理を実現することができる。
【実施例４】
【００４８】
さて、これまで本願に開示する端末装置の実施例について説明したが、上述した実施例以外にも異なる形態にて実施されてよいものである。そこで、「装置の構成」において異なる実施例を説明する。
【００４９】
［装置の構成］
上記文書中や図面中等で示した処理手順、制御手順、具体的名称、各種のデータやパラメタ等を含む情報（例えば、冷却対象となるデバイス等）については、特記する場合を除いて任意に変更することができる。例えば、冷却対象となるデバイスは、発熱量が大きい増幅器を例に挙げて説明したが、該増幅器に限られるものではない。
【００５０】
また、図示した無線端末の各構成要素は、機能概念的なものであり、必ずしも物理的に図示の如く構成されていることを要しない。すなわち、各装置の分散・統合の具体的形態は、図示のものに限られず、その全部又は一部を各種の負担や使用状況などに応じて、任意の単位で機能的または物理的に分散・統合することができる。例えば、ＡＰＣテーブル１３１は、ＡＰＣ回路１３２が有する内部メモリとして、ＡＰＣテーブル１３１とＡＰＣ回路１３２とを統合することとしても良い。
【符号の説明】
【００５１】
１      無線端末
２      デバイス
３      電力モニタ部
４      送信電力制御部
５      冷却器電圧制御部
６      冷却器
１００  無線端末
１０１  ペルチェクーラー
１１０  無線機
１１１  アンテナ
１１２  ＤＵＰ
１１３  コンデンサ
１１４  電力モニタ回路
１１５  Ｑ−ＭＯＤ
１１６  ＧＣＡ
１１７  ＢＰＦ
１１８  ＰＡ
１２０  ＡＦＥ部
１２１  ８ｂｉｔＡ／Ｄ
１２２  １０ｂｉｔＤ／Ａ
１２３  １０ｂｉｔＤ／Ａ
１２４  １０ｂｉｔＤ／Ａ
１３０  モデム処理部
１３１  ＡＰＣテーブル
１３２  ＡＰＣ回路
１３３  ペルチェクーラー電圧変換制御部
１３４  加算器
１３５  ＴＰＣテーブル
１４０  モデム処理部
１４１  ＴＰＣ回路
【図１】
2011193152.tif 000003
【図２】
2011193152.tif 000004
【図３】
2011193152.tif 000005
【図４】
2011193152.tif 000006
【図５】
2011193152.tif 000007
【図６】
2011193152.tif 000008
【図７】
2011193152.tif 000009
【図８】
2011193152.tif 000010